(57)【要約】【課題】配置的家具として、有用な、且つ良好な意匠性で深みのある質感の装飾を主体にして、開き戸部付きで、段違い様式によってデザイン性を持たせたサイドボード家具に関する。【解決手段】家具のデザイン性を増すために、開き戸部と三段の引出部を対角線上に配列して、上段に位置する開き戸部の扉において重複感を持たせる切り込み部を入れたペアー家具体と、開き戸部と開き戸部を対角線上に配列して、上段の開き戸の扉に重複感を持たせた切り込み部を入れたペアー家具体とを、自由に選択して一種、又は二種から主体的になっている段違い様式デザイン性サイドボード家具である。【選択図】図１
0003175813.tif 000002
【実用新案登録請求の範囲】
【請求項１】
家具のデザイン性を増すために、開き戸部と三段の引出部とを対角線上に配列して、上段に位置する開き戸部の扉に重複感を持たせる切り込み部を入れたペアー家具体と、開き戸部と開き戸部を対角線上に配列して、上段の開き戸の扉に重複感を持たせた切り込み部を入れたペアー家具体とを、自由に選択して前記のペアー家具体の一種、又は二種を主体的に配置した組み合わせになっていることを特徴とする段違い様式デザイン性サイドボード家具。
【請求項２】
開き戸部は、大きさを縦３００〜５００ｍｍ、横３００〜５００ｍｍで、前面に前開きの木製一枚扉を付け、内部を収納部になって、各々の開き戸部の扉における色合いを違えていることを特徴とする請求項１に段違い様式デザイン性サイドボード家具。
【請求項３】
三段の引出部は、大きさを縦３００〜５００ｍｍ、横３００〜５００ｍｍで、前面に引出を三段に嵌め込めており、各引出の高さを１００〜２５０ｍｍであって、開き戸部の下部に位置して、当該開き戸部とは色違いにしていることを特徴とする請求項１、又は請求項２の段違い様式デザイン性サイドボード家具。
【請求項４】
開き戸部の扉において重複感を持たせる切り込み部は、上段の開き戸部の扉の下部を、開き戸間口より高さで３０〜５０ｍｍに長めにして、扉の下部の重複部を長さ１００〜２００ｍｍと、幅３０〜５０ｍｍを切り取った形状になっていることを特徴とする請求項１〜請求項３のいずれかに段違い様式デザイン性サイドボード家具。
【考案の詳細な説明】
【技術分野】
【０００１】この考案は、開き戸部の扉において重複感を持たせる切り込み装飾を目的としてサイドボード家具に関する。さらに詳しくは、家具として有用な、良好な意匠性で深みのある開き戸部の扉において重複感を持たせる切り込み質感の装飾を主体にした、段違い様式によってデザイン性にしたサイドボード家具に関するものである。
【背景技術】
【０００２】従来、家具のサイドボードにはデザイン性模様の化粧材が使用されていることが一般によく知られている。このデザイン性化粧材は、無垢木板、ＭＤＦ製の基材の上面に接着された突板、或いは化粧シートを張り付けて意匠性を備えていることが多い。
一般に家具のデザインは、各種の素材からなる化粧板によっても行われている。
家具の部材において部分的配置などを変更してデザイン性を増すことは余り知られていない。【０００３】  木製基材板に、多数のランダムな大きさの線状の溝目要素をもって、全体として線状目模様の流動状を構成するように彫られた木板部を有する化粧板が使用された家具が示されているである（特許文献１参照）。
また家具のデザイン性を増すために、家具の化粧板の一種に、木材表面をブラッシング加工して、春材部、花模様部を削り取り、表面に凹凸を形成した後に塗装仕上げしたものも知られている（特許文献２参照）。【０００４】このデザイン性化粧板は、木質素材表面の自然の凹凸感を生かしたものとして、優れた質感のある木質材として注目されてもいる（特許文献３参照）。さらに突板を貼り合わせたものに表面を彫って模様を付けて、その中に顔料を注入して化粧板を提供している（特許文献４参照）。しかし製作において煩雑であって、高価になる。所定の板厚さの板目材の小角材及び又は挽き板を長さ方向、板幅方向、板厚さ方向の垂直方向、水平方向、略斜め方向の多数方向において積層接合した集成材で市松模様にしている化粧板である。（特許文献５参照）。【０００５】さらに家具の装飾性の向上に、窓ガラス、ドアガラス等として照明や装飾、防音、断熱、結露防止等を目的と合わせて、ガラス板同士、あるいはアクリル樹脂板同士を貼り合わせたものや、二枚のガラス板の間に空間を形成させた複層ガラス板が使用されている（特許文献６参照）。これらの複層ガラス板の場合、装飾のために模様を付ける場合の方法として行なわれている方法は、通常、ガラス板面への色付け処理によってインテリアとして家具に使用されている（特許文献７参照）。【０００６】しかし、サイドボートなどの家具のうちデザイン性がもともられているものでは、使用する材料によって装飾性を向上させているのみで、扉、引出などの家具の部材の形状、それらの配置、色合いなどを変えることによってデザイン性を高めたものを示しているものは存在しない。
【先行技術文献】
【特許文献】
【０００７】
【特許文献１】特開平７−４１３３８号
【特許文献２】特開平１１−２６２４１７号
【特許文献３】特開２００２−３５３２７号
【特許文献４】特開平１０−５９７５１号
【特許文献５】特開２００１−３０１３３９７号
【特許文献６】実登第３１４２９１７号
【特許文献７】特開平５−７６８２９号
【考案の概要】
【考案が解決しようとする課題】
【０００８】本考案は、従来の家具において装飾性をますには、家具表面の化粧板のデザイン性を向上させることである。化粧板の平板の表面をデザイン性の木製の板、塗装された板が使用されていた。家具の表面の板の模様を変えるだけでは、意匠性に変化が乏しかった。また開き戸の扉によって、家具の表面はその化粧板によって遮蔽されており、意匠性に変化が乏しくなる。【０００９】  サイドボードなどの家具などの化粧板は天然木材、樹脂の表面にプリントした合板、あるいは各種の木質加工材の化粧板の使用が普及されている。しかしこれらの加工材に天然木材のみでは表現出来ない特異な意匠性を呈することは難しい課題になっている。サイドボートなどの家具のうちデザイン性が求められているものでは、使用する材料によって装飾性を向上させているのみで、扉、引出、それらの配置、色合い、扉の形状などで家具全体のデザイン性を示しているものは存在しない。【００１０】  このような課題に対応するために、家具とりわけサイドボートの部分的模様と部材の配列を組み合わせて、今までにないデザイン性を高めることが必要になってきた。特に引き戸部と引出部の位置、配列と色彩などをデザイン的にすることで、装飾的サイドボードになることが期待される。【００１１】  本考案は、上記の事情に鑑みて、このサイドボートの部品の配列によってデザイン性を強調させ、優れた質感の重複感の切り込み部を入れた引き戸部の表面模様を形成することのできる新しい部品の配列模様を呈したペアー家具体を持つサイドボード家具を提供することを目的としている。
【課題を解決するための手段】
【００１２】  家具のデザイン性を増すために、開き戸部と三段の引出部を対角線上配列にして、上段に位置する開き戸部の扉において重複感を持たせる重複切り込み部を入れたペアー家具体と、開き戸部と開き戸部を対角線上に配列して、上段の開き戸の扉に重複感を持たせた切り込み部を入れたペアー家具体とを、自由に選択して一種、又は二種を主体的にした組み合わせ配置になっている段違い様式デザイン性サイドボード家具である。【００１３】開き戸部は、大きさを縦３００〜５００ｍｍ、横３００〜５００ｍｍで、前面に前開きの木製一枚扉を付けており、内部を空間の容器である収納部に、各開き戸の扉の色合いを変えている。【００１４】三段の引出部は、大きさを縦３００〜５００ｍｍ、横３００〜５００ｍｍで、前面に引出を三段に取り付けており、各引出の高さを１５０〜２５０ｍｍであって、開き戸部の下部に位置して、色違いで、色合いを濃い目にしている段違い様式デザイン性サイドボード家具である。【００１５】開き戸部の扉において重複感を持たせる重複切り込み部は、対角線上の下部の開き戸部、又は三段の引出部の上部で、上段開き戸部における上段開き戸部の扉を下部で幅３０〜５０ｍｍに長めにして、扉の下部の重複部を長さ１００〜２００ｍｍと幅３０〜５０ｍｍを切り取った形状にしている段違い様式デザイン性サイドボード家具である。
【考案の効果】
【００１６】  以上のように、本考案の木製板の段違い構造である引き戸装飾扉と配置において、開き戸部と三段の引出部とのペアー家具体と、開き戸部と開き戸部とのペアー家具体の組み合わせ家具によって、サイドボード家具の意匠性と趣を維持しながら、美観的デザイン性を向上させることができ、製造面でもコストを削減することができる。【００１７】  開き戸部と三段の引出部とのペアー家具体と、開き戸部と開き戸部とのペアー家具体の組み合わせ家具において、扉板の色合いと模様表現による意匠性、質感ともに優れた装飾扉にして、和風的で、豪華さを持ったサイドボード家具が提供される。
【図面の簡単な説明】
【００１８】
【図１】段違い様式デザイン性サイドボード一式家具の斜視図
【図２】段違い様式デザイン性サイドボード二式家具の斜視図
【図３】木製化粧板の開き戸部と三段の引出部とのペアー家具体一式の正面図
【図４】木製化粧板の開き戸部と開き戸部とのペアー家具体一式の正面図
【図５】左扉付き二種段違い様式デザイン性サイドボード二式家具の正面図
【図６】右扉付き二種段違い様式デザイン性サイドボード二式家具の正面図
【図７】右引出タイプ一種段違い様式デザイン性サイドボード二式家具の正面図
【図８】左引出タイプ一種段違い様式デザイン性サイドボード二式家具の正面図
【図９】引き戸型２枚扉付き一種段違い様式デザイン性サイドボード家具の正面図
【図１０】三段引出型２枚扉付き一種段違い様式デザイン性サイドボード家具の正面図
【図１１】引き戸型２枚扉付き一種段違い様式デザイン性サイドボード家具の斜視図
【図１２】上段の開き戸の扉に重複感を持たせた切り込み部の詳細図
【考案を実施するための形態】
【００１９】以下、本考案を実施するための最良の形態について説明する。
図１、図２は、本考案の木製化粧板を使用したサイドボート家具斜視図である。
図５〜図１１は、木製の種々の状態を木製化粧板の開き戸部と三段の引出部とのペアー家具体と、木製化粧板の開き戸部と開き戸部とのペアー家具体とを組み合わせたサイドボード示した詳細図である。
【００２０】図３は、木製化粧板の開き戸部と三段の引出部とのペアー家具体からなるサイドボードとの平面図、図４は、木製化粧板の開き戸部と開き戸部とのペアー家具体からなるサイドボードの平面図、図１２は上段の開き戸の扉に重複感を持たせた切り込み部の詳細図である。
【実施例１】
【００２１】図１、図３に示すように、開き戸部は、大きさを縦４５０ｍｍ、横４５０ｍｍで、前面に前開きのモミ木製一枚扉を付けており、内部を空間の容器に、各開き戸の扉の色合いを無垢のモミの木にして、対角線下の三段の引出部（各段１５０ｍｍ）は、前板の材料としてモミの木を使用して、大きさを縦４５０ｍｍ、横４５０ｍｍで、前面に引出を三段に取り付けており、各引出の高さを１５０ｍｍであって、開き戸部の斜め下に位置して、色合いを濃い目にしている段違い様式デザイン性サイドボード家具にした。【００２２】開き戸部の扉において重複感を持たせる切り込み部は、図１２で示すように上段開き戸部の扉を下部で幅３０ｍｍに長めにして、対角線の下部の開き戸部、又は三段の引出部の上部で、上段開き戸部における扉の下部を長さ１００ｍｍと幅３０ｍｍを切り取っている段違い様式になった。【００２３】  上記の開き戸部と三段の引出部を対角線上に配列して、上段に位置する開き戸部の扉において重複感を持たせる重複切り込み部を入れたペアー家具体と、開き戸部と三段の引出部を対角線上に配列して、上段の開き戸の扉に重複感を持たせた切り込み部を入れたペアー家具体とを、一対を組み合わせ配置になっている段違い様式デザイン性サイドボード家具になった。
この開き戸部と三段の引出部を対角線上に配列したサイドボードは、扉板の色合いと模様表現による意匠性、質感ともに優れた装飾扉にして、和風的で、豪華さを持ったサイドボード家具であった。
【実施例２】
【００２４】図２、５に示すように、開き戸部は、大きさを縦４５０ｍｍ、横４５０ｍｍで、前面に前開きのモミ木製一枚扉を付けており、内部を空間の容器に、各開き戸の扉の色合いを無垢のモミの木にして、対角線下の三段の引出部は、前板の材料としてモミの木を使用して、大きさを縦４５０ｍｍ、横４５０ｍｍで、前面に引出を三段に取り付けており、各引出の高さを１５０ｍｍであって、開き戸部の斜め下に位置して、色合いを濃い目にしている段違い様式デザイン性サイドボードペアー体と、【００２５】開き戸部は、大きさを縦４５０ｍｍ、横４５０ｍｍで、前面に前開きのモミ木製一枚扉を付けており、内部を空間の容器に、各開き戸の扉の色合いを無垢のモミの木にして、対角線下の開き戸部は、前板の材料としてモミの木を使用して、大きさを縦４５０ｍｍ、横４５０ｍｍで、対角線上の開き戸部の斜め下に位置して、色合いを濃い目にしている段違い様式デザイン性サイドボードペア体との図２のような二式段違い様式デザイン性サイドボード家具にした。
家具にした。【００２６】開き戸部の扉において重複感を持たせる重複切り込み部は、上段開き戸部の扉を下部で幅３０ｍｍに長めにして、対角線の下部の開き戸部、又は三段の引出部の上部で、上段開き戸部における扉の下部を長さ１００ｍｍと幅３０ｍｍを切り取っている段違い様式と、開き戸部の扉において重複感を持たせる重複切り込み部は、上段開き戸部の扉を下部で幅３０ｍｍに長めにして、対角線の下部の開き戸部、又は開き戸部の上部で、上段開き戸部における扉の下部を長さ１００ｍｍと幅３０ｍｍを切り取っている段違い様式とにした。【００２７】上記の開き戸部と三段の引出部、又は開き戸部を対角線上に配列して、上段に位置する開き戸部の扉において重複感を持たせる切り込み部を入れたペアー家具体と、開き戸部と開き戸部を対角線上に配列して、上段の開き戸の扉に重複感を持たせた切り込み部を入れたペアー家具体とを、一対を組み合わせ配置になっている段違い様式デザイン性サイドボード家具になった。
この開き戸部と三段の引出部、又は開き戸部とを対角線上に配列したサイドボードは、扉板の色合いと模様表現による意匠性、質感ともに優れた装飾扉にして、和風的で、豪華さを持ったサイドボード家具であった。
【実施例３】
【００２８】図４に示すように、開き戸部は、大きさを縦４５０ｍｍ、横４５０ｍｍで、前面に前開きのモミ木製一枚扉を付けており、内部を空間の容器に、各開き戸の扉の色合いを無垢のモミの木にして、対角線下の開き戸部は、前板の材料としてモミの木を使用して、大きさを縦４５０ｍｍ、横４５０ｍｍであって、開き戸部の斜め下に位置して、色合いを濃い目にしている段違い様式デザイン性サイドボード家具にした。【００２９】開き戸部の扉において重複感を持たせる切り込み部は、図１２で示すように上段開き戸部の扉を下部で幅３０ｍｍに長めにして、対角線の下部の開き戸部、又は開き戸部の上部で、上段開き戸部における扉の下部を長さ１００ｍｍと幅３０ｍｍを切り取っている段違い様式になった。【００３０】  上記の上開き戸部と下開き戸部を対角線上に配列して、上段に位置する開き戸部の扉において重複感を持たせる重複切り込み部を入れたペアー家具体と、開き戸部と開き戸部を対角線上に配列して、上段の開き戸の扉に重複感を持たせた切り込み部を入れたペアー家具体とを、一対を組み合わせ配置になっている段違い様式デザイン性サイドボード家具になった。【００３１】この開き戸部と開き戸部を対角線上に配列したサイドボードは、扉板の色合いと模様表現による意匠性、質感ともに優れた装飾扉にして、和風的で、豪華さを持ったサイドボード家具であった。
【実施例４】
【００３２】図６に示すように、開き戸部は、大きさを縦４５０ｍｍ、横４５０ｍｍで、前面に前開きのモミ木製一枚扉を付けており、内部を空間の容器に、各開き戸の扉の色合いを無垢のモミの木にして、対角線下の三段の引出部は、前板の材料としてモミの木を使用して、大きさを縦４５０ｍｍ、横４５０ｍｍで、前面に引出を三段に取り付けており、各引出の高さを１５０ｍｍであって、開き戸部の斜め下に位置して、色合いを濃い目にしている段違い様式デザイン性サイドボードペアー体と、【００３３】開き戸部は、大きさを縦４５０ｍｍ、横４５０ｍｍで、前面に前開きのモミ木製一枚扉を付けており、内部を空間の容器に、各開き戸の扉の色合いを無垢のモミの木にして、対角線下の開き戸部は、前板の材料としてモミの木を使用して、大きさを縦４５０ｍｍ、横４５０ｍｍで、対角線上の開き戸部の斜め下に位置して、色合いを濃い目にしている段違い様式デザイン性サイドボードペア体との図６のような二式段違い様式デザイン性サイドボード家具にした。
家具にした。【００３４】開き戸部の扉において重複感を持たせる重複切り込み部は、上段開き戸部の扉を下部で幅３０ｍｍに長めにして、対角線の下部の開き戸部、又は三段の引出部の上部で、上段開き戸部における扉の下部を長さ１００ｍｍと幅３０ｍｍを切り取っている段違い様式と、開き戸部の扉において重複感を持たせる重複切り込み部は、上段開き戸部の扉を下部で幅３０ｍｍに長めにして、対角線の下部の開き戸部、又は開き戸部の上部で、上段開き戸部における扉の下部を長さ１００ｍｍと幅３０ｍｍを切り取っている段違い様式とにした。【００３５】図５と対照的な配置で、上記の開き戸部と三段の引出部、又は開き戸部を対角線上に配列して、上段に位置する開き戸部の扉において重複感を持たせる切り込み部を入れたペアー家具体と、開き戸部と開き戸部を対角線上に配列して、上段の開き戸の扉に重複感を持たせた切り込み部を入れたペアー家具体とを、一対を組み合わせ配置になっている段違い様式デザイン性サイドボード家具になった。【００３６】この開き戸部と三段の引出部、又は開き戸部とを対角線上に配列したサイドボードは、扉板の色合いと模様表現による意匠性、質感ともに優れた装飾扉にして、和風的で、豪華さを持ったサイドボード家具であった。
【実施例５】
【００３７】図７、図８に示すように、開き戸部は、大きさを縦４５０ｍｍ、横４５０ｍｍで、前面に前開きの檜木製一枚扉を付けており、内部を空間の容器に、各開き戸の扉の色合いを無垢の檜の木にして、対角線下の三段の引出部（各段１５０ｍｍ）は、前板の材料として檜の木を使用して、大きさを縦４５０ｍｍ、横４５０ｍｍで、前面に引出を三段に取り付けており、各引出の高さを１５０ｍｍであって、開き戸部の斜め下に位置して、色合いを濃い目にして、上段の反対に切り込みのない開き戸を取り付けた段違い様式デザイン性扉付きサイドボード家具にした。【００３８】開き戸部の扉において重複感を持たせる切り込み部は、図１２で示すように上段開き戸部の扉を下部で幅３０ｍｍに長めにして、対角線の下部の開き戸部、又は三段の引出部の上部で、上段開き戸部における扉の下部を長さ１００ｍｍと幅３０ｍｍを切り取っている段違い様式（図７が左側、図８が右側）になり、上段の反対に切り込みのない開き戸を取り付けた段違い様式デザイン性扉付きサイドボードにした。【００３９】  上記の開き戸部と三段の引出部を対角線上に配列して、上段に位置する開き戸部の扉において重複感を持たせる重複切り込み部を入れたペアー家具体と、開き戸部と三段の引出部を対角線上に配列して、上段の開き戸の扉に重複感を持たせた切り込み部を入れたペアー家具体とを、一対を組み合わせ配置になっている段違い様式デザイン性扉付きサイドボード家具になった。【００４０】この開き戸部と三段の引出部を対角線上に配列した扉付きサイドボードは、扉板の色合いと模様表現による意匠性、質感ともに優れた装飾扉にして、和風的で、豪華さを持った扉付きサイドボード家具であった。
【実施例６】
【００４１】図９，１１に示すように、開き戸部は、大きさを縦４００ｍｍ、横４００ｍｍで、前面に前開きのモミ木製一枚扉を付けており、内部を空間の容器に、各開き戸の扉の色合いを無垢のモミの木にして、対角線下の開き戸部は、前板の材料としてモミの木を使用して、大きさを縦４００ｍｍ、横４００ｍｍであって、開き戸部の斜め下に位置して、色合いを濃い目にしている段違い様式デザイン性サイドボード家具にして、さらに上段に開き戸を二個上部に取り付けた。【００４２】開き戸部の扉において重複感を持たせる切り込み部は、図１２で示すように上段開き戸部の扉をド部で幅２５ｍｍに長めにして、対角線の下部の開き戸部、又は開き戸部の上部で、上段開き戸部における扉の下部を長さ１００ｍｍと幅２５ｍｍを切り取っている段違い様式になった。さらに上段に開き戸を二個上部に取り付けた。【００４３】上記の上開き戸部と下開き戸部を対角線上に配列して、上段に位置する開き戸部の扉において重複感を持たせる重複切り込み部を入れたペアー家具体と、開き戸部と開き戸部を対角線上に配列して、上段の開き戸の扉に重複感を持たせた切り込み部を入れたペアー家具体とを、一対を組み合わせ配置になっている段違い様式デザイン性サイドボード家具に、図１１のようにさらに上段に開き戸を二個上部に取り付けた家具にした。さらに上段に開き戸を二個上部に取り付けた。【００４４】  この開き戸部と開き戸部を対角線上に配列したサイドボードは、扉板の色合いと模様表現による意匠性、質感ともに優れた装飾扉にして、和風的で、豪華さを持った上段に開き戸を二個上部に取り付けたサイドボード家具であった。
【実施例７】
【００４５】図１０に示すように、開き戸部は、大きさを縦４００ｍｍ、横４００ｍｍで、前面に前開きのモミ木製一枚扉を付けており、内部を空間の容器に、各開き戸の扉の色合いを無垢のモミの木にして、対角線下の三段の引出部（各段１５０ｍｍ）は、前板の材料としてモミの木を使用して、大きさを縦４００ｍｍ、横４００ｍｍで、前面に引出を三段に取り付けており、各引出の高さを１５０ｍｍであって、開き戸部の斜め下に位置して、色合いを濃い目にしている段違い様式デザイン性サイドボード家具にした。さらに上段に開き戸を二個上部に取り付けた。【００４６】開き戸部の扉において重複感を持たせる切り込み部は、図１２で示すように上段開き戸部の扉を下部で幅３０ｍｍに長めにして、対角線の下部の開き戸部、又は三段の引出部の上部で、上段開き戸部における扉の下部を長さ１００ｍｍと幅３０ｍｍを切り取っている段違い様式になった。図１０に示すようにさらに上段に開き戸を二個上部に取り付けた。【００４７】上記の開き戸部と三段の引出部を対角線上に配列して、上段に位置する開き戸部の扉において重複感を持たせる重複切り込み部を入れたペアー家具体と、開き戸部と三段の引出部を対角線上に配列して、上段の開き戸の扉に重複感を持たせた切り込み部を入れたペアー家具体とを、一対を組み合わせ配置になっている段違い様式デザイン性サイドボード家具になった。さらに上段に開き戸を二個上部に取り付けた。【００４８】  この開き戸部と三段の引出部を対角線上に配列したサイドボードは、扉板の色合いと模様表現による意匠性、質感ともに優れた装飾扉にして、和風的で、豪華さを持ったサイドボード家具であった。
【符号の説明】
【００４９】１．開き戸部
２．引出部
４．扉
５．引出
６．天板
７．切り込み部
８．段違い部
【図１】
0003175813.tif 000003
【図２】
0003175813.tif 000004
【図３】
0003175813.tif 000005
【図４】
0003175813.tif 000006
【図５】
0003175813.tif 000007
【図６】
0003175813.tif 000008
【図７】
0003175813.tif 000009
【図８】
0003175813.tif 000010
【図９】
0003175813.tif 000011
【図１０】
0003175813.tif 000012
【図１１】
0003175813.tif 000013
【図１２】
0003175813.tif 000014